(57)【要約】【課題】  組み立てることでボードを立てることができ、かつ容易に携帯可能な折り畳み式ボードを提供する。【解決手段】  ボード１と、該ボード１に固定されたスタンド２からなる折り畳み式ボードであって、スタンド２は、中央の縦軸方向に形成される中央の山折り線１１と、この山折り線の左右両側に配置された谷折り線１２と、この谷折り線１２を境としてボード１に対して立ち上がる脚部３と、縦軸の上下に位置する固定部４とを備え、脚部３は、固定部４を係止するための第一係止部６と、ボード１を立てる際に接地する接地部７を備え、固定部４は、縦軸と直交して形成された谷折り線１３を境としてボード１に対して立ち上がり、脚部３を立てる際に第一係止部６と係止する第二係止部８と、ボード１及びスタンド２を折り畳んだときに取手を形成する取手部９を備えた折り畳み式ボード。【選択図】      図１
2011055891.tif 000002
【特許請求の範囲】
【請求項１】
ボードと、該ボードに固定されたスタンドからなる折り畳み式ボードであって、
前記スタンドは、
中央の縦軸方向に形成される中央の山折り線と、この山折り線の左右両側に配置された谷折り線と、この谷折り線を境として前記ボードに対して立ち上がる脚部と、前記縦軸の上下に位置する固定部とを備え、
前記脚部は、前記固定部を係止するための第一係止部と、前記ボードを立てる際に接地する接地部を備え、
前記固定部は、前記縦軸と直交して形成された谷折り線を境として前記ボードに対して立ち上がり、前記脚部を立てる際に前記第一係止部と係止する第二係止部と、前記ボード及び前記スタンドを折り畳んだときに取手を形成する取手部を備えた
ことを特徴とする折り畳み式ボード。
【請求項２】
前記固定部は、前記縦軸の上下に、前記縦軸をまたいで回転対称に配置され、
前記縦軸の上側に配置された前記固定部は、前記取手部を当該固定部における左右のいずれか一方に備えるとともに、前記縦軸の下側に配置された前記固定部は、前記取手部を前記縦軸の上側に配置された前記固定部における前記取手部に対して左右反対側に備え、
当該固定部における前記ボードに対して立ち上がる部分以外で、かつ前記取手部を有しない側の部分が、前記ボードに固定された
ことを特徴とする請求項１記載の折り畳み式ボード。
【請求項３】
前記取手部における先端が、前記ボード及び前記スタンドを折り畳んだときに、対向する取手部どうしによって、前記取手を形成する
ことを特徴とする請求項１又は２記載の折り畳み式ボード。
【請求項４】
前記脚部が、当該折り畳み式ボードを横軸方向に斜めに立てる際に接地する他の接地部を備え、
前記固定部が、前記脚部を立てる際に、前記ボードとなす角度を調節可能に固定するための二以上の第二係止部を備えたことを特徴とする請求項１〜３のいずれかに記載の折り畳み式ボード。
【請求項５】
前記固定部が、ペンホルダーを係留するための孔を備えたことを特徴とする請求項１〜４のいずれかに記載の折り畳み式ボード。
【請求項６】
前記ボードにおける見開き面、又は見開き面及び前記スタンドを固定する面に、ホワイトボード機能を備える用紙、及び／又は、磁性を有する素材を貼付したことを特徴とする請求項１〜５のいずれかに記載の折り畳み式ボード。
【請求項７】
前記脚部が、当該脚部面積を低減する一又は二以上の切り込み部を備えたことを特徴とする請求項１〜６のいずれかに記載の折り畳み式ボード。
【請求項８】
ボードに接着して使用される折り畳み式ボードスタンドであって、
中央の縦軸方向に形成される中央の山折り線と、この山折り線の左右両側に配置された谷折り線と、この谷折り線を境として前記ボードに対して立ち上がる脚部と、前記縦軸の上下に位置する固定部とを備え、
前記脚部は、前記固定部を係止するための第一係止部と、前記ボードを立てる際に接地する接地部を備え、
前記固定部は、前記縦軸と直交して形成された谷折り線を境として前記ボードに対して立ち上がり、前記脚部を立てる際に前記第一係止部と係止する第二係止部と、前記ボード及び当該スタンドを折り畳んだときに取手を形成する取手部を備えた
ことを特徴とする折り畳み式ボードスタンド。
【発明の詳細な説明】
【技術分野】
【０００１】
本発明は、ボードを立てるためのスタンドに関し、特に折り畳み式のボード、及び折り畳み式のボードスタンドに関する。
【背景技術】
【０００２】
従来、会議室などにおいて使用されるホワイトボードや黒板は、持ち運びが容易なものではなく、多くの場合は特定の場所に配置されて用いられる。
このようなホワイトボード等は、多人数で使用できるという利点があるものの、使用場所が限られてしまうという問題があった。
すなわち、ホワイトボード設備のない部屋で会議を行っている場合に、急にホワイトボードが必要になることがある。このような場合、上記のようなホワイトボードを移動させて使用することは不便であった。また、ホワイトボード設備のある部屋で会議をしている場合でも、会議の種類によっては、たびたびその配置場所まで行って使用することが、煩雑な場合もあった。
【０００３】
また、ホワイトボードの種類には、持ち運びが可能なものもある。例えば、スポーツで使用されている「作戦ボード」は、予めコートなどが描かれたホワイトボードである。
このようなホワイトボードは、使用場所の制限を受けにくいものであるが、比較的大きなものが多く、またマグネットを吸着できるように金属性のものが多いため、重たく、一般に持ち運びやすいものではなかった。
【０００４】
このため、より持ち運びやすいホワイトボードが求められていた。
持ち運びやすさを考慮した従来のボードとしては、例えば特許文献１に記載の折り畳み式ディスプレイスタンドや、特許文献２に記載のキャリア機能を備えたボードスタンドを挙げることができる。
特許文献１に記載の折り畳み式ディスプレイスタンドは、使用しない時には、コンパクトに折り畳むことができ、箱に梱包できるため、比較的持ち運びが容易である。
また、特許文献２に記載のキャリア機能を備えたボードスタンドには、取手用の穴が形成されているため、この部分を持つことでボードを運搬することが可能になっている。
【０００５】
【特許文献１】特開２００９−１１６１７１号公報
【特許文献２】特開２００３−９３１８４号公報
【発明の概要】
【発明が解決しようとする課題】
【０００６】
しかしながら、特許文献１に記載の折り畳み式ディスプレイスタンドは、比較的複雑な構造であり、折り畳んだ状態でもまだ嵩張ってしまうという問題があった。
また、特許文献２に記載のキャリア機能を備えたボードスタンドは、取手用の穴の部分を持つことにより、ボードを比較的容易に運搬することは可能であるが、その構造はやや大きく重量のあるボードに適したものであり、小型のボードに適したものではなかった。
【０００７】
ここで、携帯性に優れたホワイトボードとして、株式会社欧文印刷製の「消せる紙（登録商標）」を挙げることができる。この「消せる紙」は、ホワイトボード用のマーカとイレイザーを使用して、書いたり消したりすることができる紙である。このような「消せる紙」は、携帯性に優れ、汎用性が高く、さまざまなシーンで利用することが可能である。
【０００８】
この「消せる紙」は、通常の紙と同様に容易に持ち運びすることができるが、さらに複数の利用者で参照する場合に便利なように、立てることができ、かつ容易に携帯可能にできれば、より好ましい。
【０００９】
本発明は、上記の事情にかんがみなされたものであり、折り畳み式ボードをボードとこれに固定するスタンドから構成し、スタンドを組み立てることでボードを支持させ、かつスタンドを折り畳むことで取手を形成させて、ボードを容易に携帯可能とした折り畳み式ボード、及び折り畳み式ボードスタンドを提供することを目的とする。
【課題を解決するための手段】
【００１０】
上記目的を達成するため、本発明の折り畳み式ボードは、ボードと、該ボードに固定されたスタンドからなる折り畳み式ボードであって、スタンドは、中央の縦軸方向に形成される中央の山折り線と、この山折り線の左右両側に配置された谷折り線と、この谷折り線を境としてボードに対して立ち上がる脚部と、縦軸の上下に位置する固定部とを備え、脚部は、固定部を係止するための第一係止部と、ボードを立てる際に接地する接地部を備え、固定部は、縦軸と直交して形成された谷折り線を境としてボードに対して立ち上がり、脚部を立てる際に第一係止部と係止する第二係止部と、ボード及びスタンドを折り畳んだときに取手を形成する取手部を備えた構成としてある。
【００１１】
また、本発明の折り畳み式ボードスタンドは、ボードに接着して使用される折り畳み式ボードスタンドであって、中央の縦軸方向に形成される中央の山折り線と、この山折り線の左右両側に配置された谷折り線と、この谷折り線を境としてボードに対して立ち上がる脚部と、縦軸の上下に位置する固定部とを備え、脚部は、固定部を係止するための第一係止部と、ボードを立てる際に接地する接地部を備え、固定部は、縦軸と直交して形成された谷折り線を境としてボードに対して立ち上がり、脚部を立てる際に第一係止部と係止する第二係止部と、ボード及び当該スタンドを折り畳んだときに取手を形成する取手部を備えた構成としてある。
【発明の効果】
【００１２】
本発明によれば、組み立てることでボードを立てることができ、かつ折り畳むことで取手を形成して、ボードを容易に携帯可能な折り畳み式ボード、及び折り畳み式ボードスタンドを提供することが可能となる。
【図面の簡単な説明】
【００１３】
【図１】本発明の第一実施形態の折り畳み式ボードの展開状態を示す図である。
【図２】本発明の第一実施形態の折り畳み式ボードの組み立て経過状態（１）を示す図である。
【図３】本発明の第一実施形態の折り畳み式ボードの組み立て経過状態（２）を示す図である。
【図４】本発明の第一実施形態の折り畳み式ボードの組み立て経過における係止途中状態を示す図である。
【図５】本発明の第一実施形態の折り畳み式ボードの組み立て経過における係止完了状態を示す図である。
【図６】本発明の第一実施形態の折り畳み式ボードの組み立てた形態を示す図である。
【図７】本発明の第一実施形態の折り畳み式ボードの持ち運び形態を示す図である。
【図８】本発明の第二実施形態の折り畳み式ボードの展開状態を示す図である。
【図９】本発明の第三実施形態の折り畳み式ボードの展開状態を示す図である。
【図１０】本発明の第三実施形態の折り畳み式ボードを卓上メモスタンドとして組み立てた形態を示す図である。
【図１１】本発明の第三実施形態の折り畳み式ボードを見開きスタンドとして組み立てた形態を示す図である。
【図１２】本発明の第四実施形態の折り畳み式ボードの持ち運び形態を示す図である。
【発明を実施するための形態】
【００１４】
以下、本発明の折り畳み式ボード、及び折り畳み式ボードスタンドの好ましい実施形態について、図面を参照しつつ説明する。
【００１５】
［第一実施形態］
まず、本発明の第一実施形態の構成について、図１〜図７を参照して説明する。図１は、本実施形態の折り畳み式ボードの展開状態を示す図である。図２、図３は、それぞれ本実施形態の折り畳み式ボードの組み立て経過状態（１）、経過状態（２）を示す図である。図４は、本実施形態の折り畳み式ボードの組み立て経過における係止途中状態を示す図である。図５は、本実施形態の折り畳み式ボードの組み立て経過における係止完了状態を示す図である。図６は、本実施形態の折り畳み式ボードの組み立てた形態を示す図である。図７は、本実施形態の折り畳み式ボードの持ち運び形態を示す図である。
【００１６】
本実施形態の折り畳み式ボードは、図１に示すように、ボード１と、スタンド２を備えている。スタンド２は、ボード１に貼付部５（５−１，５−２，５−３）において、ボード１に接着されている。
【００１７】
ボード１は、スタンド２を貼付して、このスタンド２により支持し、立てて使用可能なものであれば特に限定されない。
例えば、合紙、カード紙、板紙、ボール紙、チップボール、ミルクカートン用紙、段ボールなどを用いることができる。また、これらの表面に上述した「消せる紙」を貼り付けることも好ましい。ボード１をこのように「消せる紙」を貼付したものとし、これにスタンド２を貼付することで、持ち運びが容易で、どこでも立てて使用することができるホワイトボードとすることができる。また、ボード１をこのように紙製にすることで、比較的低コストで可燃性の折り畳み式ボードを提供することが可能である。
【００１８】
また、ボード１として、各種プラスチック素材からなるボードや、木製ボードを用いることもでき、これらに紙を貼り合わせたものにすることもできる。これらのボードを用いることで、さらに丈夫な折り畳み式ボードにすることができる。
例えば、スチレンボードに紙を合紙したものは、軽くて耐水性に優れていて好ましい。
【００１９】
さらに、アルミやジュラルミンなどからなる金属製のボードを使用したり、あるいは磁性のあるボードや磁性を有する素材を貼付したボードを使用したりすることで、マグネットなどの吸着を可能にし、作戦ボードなどに利用しやすいものにすることもできる。
本実施形態の折り畳み式ボードにおけるボード１は、例として、見開きＡ３サイズで厚さ２ｍｍの合紙を使用し、スタンド２を貼付する面とは反対の見開き面に「消せる紙」を貼付したものとしている。
【００２０】
スタンド２は、ボード１に貼り付けられ、組み立てられることでボード１を支持し、ボード１を立てることができる。また、スタンド２は、ボード１と同様に、合紙，板紙など紙や、プラスチック、金属、木などを用いて製作することができる。
【００２１】
スタンド２は、図１に示すように、ボード１を二等分する山折り線１１上に、その中央の長軸が配置するように、貼り付けられている。また、スタンド２の長軸の長さは、ボード１における山折り線１１の長さと一致している。なお、ボード１に対するスタンド２の貼付位置はこれに限定されるものではなく、例えばボード１を三等分する山折り線上に、その長軸が配置するように、貼り付けることなども可能である。また、スタンド２の長軸の長さを、ボード１における山折り線１１の長さより短くすることもできる。
【００２２】
スタンド２は、脚部３（３−Ｒ，３−Ｌ）と、固定部４（４−１，４−２）と、貼付部５（５−１，５−２，５−３）とからなっている。
脚部３は、図１において、中央の縦軸（山折り線１１）の右側に位置する脚部３−Ｒと、左側に位置する脚部３−Ｌとから構成される。なお、ボード１及び／又はスタンド２の厚みが大きい場合などには、この山折り線１１に沿って、スタンド２が左右に分離されていても良く、本実施形態には、このように左右に分離されたスタンド２を備える折り畳み式ボードも含まれる。また、スタンド２の山折り線１１上にミシン目を設け、この山折り線１１に沿って、スタンド２を折り畳んだ際に、スタンド２が左右に分離されるようにすることもできる。
【００２３】
脚部３−Ｒは、中央の縦軸の右側に配置された谷折り線１２−Ｒを境としてボード１に対して立ち上がり、固定部４−１及び固定部４−２により固定される。同様に、脚部３−Ｌは、中央の縦軸の左側に配置された谷折り線１２−Ｌを境としてボード１に対して立ち上がり、固定部４−１及び固定部４−２により固定される。図２は、脚部３−Ｒ及び脚部３−Ｌをボード１に対して立ち上げた状態を、図３は、これらの脚部を固定部４−１及び固定部４−２により固定した状態を示している。
【００２４】
脚部３−Ｒは、第一係止部６（６−Ｒ１，６−Ｒ２）と、接地部７（７−Ｒ１，７−Ｒ２）を備えている。
脚部３−Ｒは、谷折り線１２−Ｒを境としてボード１に対して立ち上がり、第一係止部６−Ｒ１において、固定部４−１の第二係止部８−Ｒ１に固定され、第一係止部６−Ｒ２において、固定部４−２の第二係止部８−Ｒ２に固定される。図４及び図５は、このように、第二係止部８−Ｒ１を第一係止部６−Ｒ１に係止し、第二係止部８−Ｒ２を第一係止部６−Ｒ２に係止するまでの経過状態を示している。
【００２５】
同様に、脚部３−Ｌは、第一係止部６（６−Ｌ１，６−Ｌ２）と、接地部７（７−Ｌ１，７−Ｌ２）を備えている。
脚部３−Ｌは、谷折り線１２−Ｌを境としてボード１に対して立ち上がり、第一係止部６−Ｌ１において、固定部４−１の第二係止部８−Ｌ１に固定され、第一係止部６−Ｌ２において、固定部４−２の第二係止部８−Ｌ２に固定される。
【００２６】
接地部７は、ボード１を立てた時に、水平面に接地する部分である。本実施形態では、ボード１を直立ではなく、水平面に対してやや傾斜させて立てられるように、ボード１の中央の縦軸の上端及び下端から脚部３の両端に亘って斜めに切り込まれた形状となっている。
図１における下方を下にしてボード１を立てる場合は、接地部７−Ｒ２及び７−Ｌ２が水平面に接地する。一方、図１における上方を下にしてボード１を立てる場合は、接地部７−Ｒ１及び７−Ｌ１が水平面に接地する。図６は、このように、接地部７−Ｒ２及び７−Ｌ２、又は、接地部７−Ｒ１及び７−Ｌ１を水平面に接地させ、ボード１及びスタンド２を立てた状態を示している。
【００２７】
固定部４は、図１において上側に位置する固定部４−１と下側に位置する固定部４−２とから構成される。
固定部４−１は、中央の縦軸と直交して形成された谷折り線１３−１を境としてボード１に対して立ち上がり、脚部３−Ｒと３−Ｌを固定する。また、固定部４−２は、中央の縦軸と直交して形成された谷折り線１３−２を境としてボード１に対して立ち上がり、脚部３−Ｒと３−Ｌを固定する。
【００２８】
固定部４−１は、第二係止部８（第二係止部８−Ｒ１，第二係止部８−Ｌ１）と、取手部９−１を備えている。また、固定部４−２は、第二係止部８（第二係止部８−Ｒ２，第二係止部８−Ｌ２）と、取手部９−２を備えている。
第二係止部８−Ｒ１は、脚部３−Ｒにおける第一係止部６−Ｒ１に係止し、第二係止部８−Ｌ１は、脚部３−Ｌにおける第一係止部６−Ｌ１に係止する。また、第二係止部８−Ｒ２は、脚部３−Ｒにおける第一係止部６−Ｒ２に係止し、第二係止部８−Ｌ２は、脚部３−Ｌにおける第一係止部６−Ｌ２に係止する。
【００２９】
ここで、図１に示す展開状態から、中央の縦軸（山折り線１１）を境としてボード１及びスタンド２を山折りにすると、固定部４−１における取手部９−１側（本実施形態の場合、左側）が、図７に示すように、ボード１から突出し、取手部９−１は、取手の一部を構成する。また、固定部４−２における取手部９−２側（本実施形態の場合、右側）も、同様に、ボード１から突出し、取手部９−２は、取手の一部を構成する。
【００３０】
この結果、同図に示すように、取手部９−１及び取手部９−２により取手が形成され、この取手によって、ボード１を容易に持ち運ぶことが可能となる。
さらに、本実施形態では、図１に示すように、握り用スペース１０−１及び握り用スペース１０−２を設け、取手をより握りやすい形状としている。
【００３１】
以上説明したように、本実施形態の折り畳み式ボードによれば、組み立てることでボードを立てることができ、かつ折り畳むことで取手を形成して、ボードを容易に携帯することが可能となる。
【００３２】
［第二実施形態］
次に、本発明の第二実施形態の構成について、図８を参照して説明する。同図は、本実施形態の折り畳み式ボードの展開状態を示す図である。
本実施形態の折り畳み式ボードは、第一実施形態のものと比較して、より軽量化され、また様々なデザイン性を容易に付与可能な点で第一実施形態と異なっている。その他の点は第一実施形態と同様であり、図８において第一実施形態と同じ構成は、同一の符号を付している。
【００３３】
本実施形態の折り畳み式ボードにおけるスタンド２は、図８に示すように、切り込み部１４（切り込み部１４−Ｒ１，１４−Ｌ１，１４−Ｒ２，１４−Ｌ２）と切り込み部１５（切り込み部１５−Ｒ，１５−Ｌ）を備えている。
これらの切り込み部を備えることで、本実施形態の折り畳み式ボードは、軽量化することができ、またスタンド２の材料コストを低減することも可能になっている。
また、このような切り込み部を設けることで、脚部３にデザイン性を付与することができ、ボード１を立てた際に、脚部に美しさや面白みを与えることが可能となる。
【００３４】
さらに、本実施形態の折り畳み式ボードは、第一実施形態のものと比較して、貼付部５が左右反対に備えられるとともに、固定部４における取手部９も左右反対に備えられている。
しかしながら、脚部３を、ボード１に対して立ち上げて、固定部４により固定することは第一実施形態における折り畳み式ボードと同様に行うことが可能である。
【００３５】
以上説明したように、本実施形態の折り畳み式ボードによれば、切り込み部を備えることで、軽量化することができるとともに、材料費を低減することが可能となる。また、脚部３にデザイン性を付与して、美しさや面白みを与えることが可能となる。
【００３６】
［第三実施形態］
次に、本発明の第三実施形態の構成について、図９〜図１１を参照して説明する。図９は、本実施形態の折り畳み式ボードの展開状態を示す図である。図１０は、本実施形態の折り畳み式ボードを卓上メモスタンドとして組み立てた形態を示す図である。図１１は、本実施形態の折り畳み式ボードを見開きスタンドとして組み立てた形態を示す図である。
【００３７】
本実施形態の折り畳み式ボードは、第二実施形態の折り畳み式ボードの機能を全て備えるとともに、さらに２つの使用形態を取ることができ、３Ｗａｙ仕様のものとなっている点で第二実施形態と異なる。その他の点は第二実施形態と同様であり、図９において第二実施形態と同じ構成は、同一の符号を付している。
【００３８】
本実施形態の折り畳み式ボードにおけるボード１のサイズは、特に限定されるものではないが、メモボードとして利用可能にしてあるため、例として、見開きＡ４サイズで厚さ２ｍｍの合紙を使用するとともに、スタンド２を貼付する面及び見開き面の両面に、「消せる紙」を貼付して構成している。
このようにボード１の両面に紙を貼り付けることで、ボード１の反り防止効果を得ることができる。このとき、この反り防止効果の観点から、ボード１の両面には、同素材のものを貼り付けることが好ましい。
【００３９】
本実施形態の折り畳み式ボードは、第一実施形態と同様に、脚部３をボード１に対して立ち上げて、固定部４により固定し、接地部７において水平面と接地するように立てることで、図６に示される第一実施形態の折り畳み式ボードと同様に、立てて使用することができる。
【００４０】
次に、他の２つの使用形態について説明する。
本実施形態の折り畳み式ボードは、図９に示すように、脚部３−Ｒの上部右端にメモボード用接地部１６−Ｒ１を備え、脚部３−Ｒの下部右端にメモボード用接地部１６−Ｒ２を備えている。また、脚部３−Ｌの上部左端にメモボード用接地部１６−Ｌ１を備え、脚部３−Ｌの下部左端にメモボード用接地部１６−Ｌ２を備えている。
また、本実施形態の折り畳み式ボードは、固定部４−１に角度調節用溝部１７（１７−１１，１７−１２）を備え、固定部４−２にも角度調節用溝部１７（１７−２１，１７−２２）を備えている。
さらに、本実施形態の折り畳み式ボードは、固定部４−１の上部にペンホルダー用孔１８−１を備え、固定部４−２の下部にペンホルダー用孔１８−２を備えている。
【００４１】
本実施形態では、まず中央の縦軸（山折り線１１）を境としてボード１及びスタンド２を山折りにする。
次に、脚部３−Ｒをボード１に対して立ち上げて、固定部４−２により固定する。このとき、脚部３−Ｒの第一係止部６−Ｒ２を固定部４−２の角度調節用溝部１７−２２に固定する。
次に、脚部３−Ｌをボード１に対して立ち上げて、固定部４−１により固定する。このとき、脚部３−Ｌの第一係止部６−Ｌ１を固定部４−１の角度調節用溝部１７−１１に固定する。
【００４２】
そして、メモボード用接地部１６−Ｒ１及びメモボード用接地部１６−Ｒ２を水平面に接地する。
図１０は、このようにして組み立てられた本実施形態の折り畳み式ボードの卓上メモボード形態を示している。
【００４３】
本実施形態では、接地させる脚部３−Ｒを固定部４−２の角度調節用溝部１７−２２に固定させることで、メモボード形態において安定して立てることができるようになっている。また、メモボード形態における上部（メモ記入面）に配置される脚部３−Ｌを固定部４−１の角度調節用溝部１７−１１に固定させることで、脚部３−Ｌとボード１との間の角度を大きくとることができ、メモ記入面をより使いやすいものとすることができるようになっている。
【００４４】
さらに、本実施形態では、ペンホルダー用孔１８−１にペンホルダーを係留するとともに、このペンホルダーにホワイトボード用のマーカを取り付け、固定部４−１の取手部９−１と脚部３−Ｌとの間に形成された空間に、このホワイトボード用のマーカを置くことができる。
このように、本実施形態の折り畳み式ボードは、卓上メモボードとして利用し易い形態にすることが可能になっている。
【００４５】
また、このような卓上メモボードの形態から、脚部３−Ｌと固定部４−１との係止を外して、脚部３−Ｌをボード１に倒して展開するとともに、中央の縦軸（山折り線１１）を境としてボード１及びスタンド２を開くことで、本実施形態の折り畳み式ボードを、見開き形態に組み立てることができる。
図１１は、このようにして組み立てられた本実施形態の折り畳み式ボードの見開きスタンド形態を示している。
【００４６】
このとき、図１０におけるボード１の上半分（脚部３−Ｌ側）は、固定部４−１の取手部９−１が脚部３−Ｒに当接することで、スタンド２により支持されるようになっている。
本実施形態の折り畳み式ボードをこのような見開きスタンド形態にすることで、例えばボード１の上半分に小型プロジェクターなどによる映像を映すことができる。そして、映像を映した状態で、ボード１の上半分及び下半分に、ホワイトボード用のマーカでメモを記入することなどが可能である。
【００４７】
なお、上記の例では、脚部３−Ｒを接地側として組み立てたが、脚部３−Ｌを接地側として組み立てることもできる。
また、角度調節用溝部１７は、上記の例では固定部４−１及び固定部４−２にそれぞれ２個設けているが、３個以上設け、より多段階に角度調節を行い得る構成としても良い。さらに、上記の例ではペンホルダー用孔１８を固定部４の端に設けているが、ペンを固定部４の取手部９と脚部３との間に形成される空間に備えることができれば、その位置は特に限定されず、取手部９や脚部３に設けることもできる。
【００４８】
以上説明したように、本実施形態の折り畳み式ボードは、通常のスタンド形態のみならず、卓上メモボード形態や、見開きスタンド形態に組み立てて、使用することが可能である。
【００４９】
［第四実施形態］
次に、本発明の第四実施形態の構成について、図１２を参照して説明する。同図は、本実施形態の折り畳み式ボードの持ち運び形態を示す図である。
本実施形態の折り畳み式ボードは、取手部を折り畳み可能にしている点で第一実施形態と異なる。その他の点は第一実施形態と同様である。
【００５０】
すなわち、第一実施形態では、展開状態から、中央の縦軸（山折り線１１）を境としてボード１及びスタンド２を山折りにしたとき、取手部９−１と取手部９−２により取手が形成される構成となっている。
本実施形態では、この取手部９−１と取手部９−２をそれぞれ中央の縦軸を境として谷折りして、ボード１及びスタンド２全体を矩形に折り畳むことが可能になっている。
【００５１】
図１２は、このような折り畳み式ボードの折り畳んだ形態を示す図である。
折り畳み式ボードをこのような矩形に折り畳むことで、鞄に入れて持ち運ぶ際にも扱い易いものにすることが可能になる。
なお、このような折り畳み形態を第二実施形態及び第三実施形態の折り畳み式ボードに適用し、その取手部を折り畳み可能にしてもよい。
【００５２】
本発明は、以上の実施形態に限定されるものではなく、本発明の範囲内において、種々の変更実施が可能であることは言うまでもない。
例えば、上記各実施形態において、折り畳み式ボードは、ボードとスタンドから構成されているが、上記各実施形態におけるいずれかのスタンドのみを本発明の折り畳み式ボードスタンドとし、これを任意のボードに接着して使用することも可能である。
また、上記実施形態では、ボード表面に「消せる紙」を貼り付けて、ホワイトボードとして利用可能にしているが、これに限定されるものではなく、その他の各種ボードに適用することが可能である。
たとえば、マグネット式の作戦ボード、お絵かきボード、画板付きイーゼルなどとして用いることも可能である。さらに、プロジェクターによる映像を映し出すためのスクリーンボード、プロジェクター用スクリーン機能とホワイトボード機能を兼ね備えたプレゼンテーションボード、企業や学校、病院などにおいて、席を外したり、部屋を出たりする際の連絡に使用するコミュニケーションボード、文字の練習や、地図の学習、頭脳トレーニングなど各種学習に用いるための学習教材ボード、福笑いなどの各種ゲームや娯楽に使用するためのゲームボードなどとして利用することが可能である。また、このような利用にあたり、ボード１に予めガイドやマス目などを印刷したものにすることも可能である。
【００５３】
さらに、第三実形態では、折り畳み式ボードを見開きスタンド形態にすることで、ボード１の上半分に小型プロジェクターなどによる映像を映し出し、かつボード１の上半分及び下半分に、ホワイトボード用のマーカでメモを記入可能にしているが、これをその他の実施形態に適用することも可能である。例えば、第一実施形態において、ボード１の左右いずれか半分や全面などに小型プロジェクターなどによる映像を映し出すとともに、ホワイトボード用のマーカでメモを記入可能にすることもできる。
【産業上の利用可能性】
【００５４】
本発明は、ボードを携帯して持ち運び、立てて利用する場合などに、好適に用いることが可能である。
【符号の説明】
【００５５】
１  ボード
２  スタンド
３（3-R,3-L）  脚部
４（4-1,4-2）  固定部
５（5-1,5-2,5-3）  貼付部
６（6-R1,6-L1,6-R2,6-L2）  第一係止部
７（7-R1,7-L1,7-R2,7-L2）、７’  接地部
８（8-R1,8-L1,8-R2,8-L2）  第二係止部
９（9-1,9-2）  取手部
１０（10-1,10-2）  握り用スペース
１１  山折り線
１２（12-R,12-L），１３（13-1,13-2）  谷折り線
１４（14-R1,14-L1,14-R2,14-L2），１５（15-R,15-L）  切り込み部
１６（16-R1,16-L1,16-R2,16-L2）  メモボード用接地部
１７（17-11,17-12,17-21,17-22）  角度調節用溝部
１８（18-1,18-2）  ペンホルダー用孔
【図１】
2011055891.tif 000003
【図２】
2011055891.tif 000004
【図３】
2011055891.tif 000005
【図４】
2011055891.tif 000006
【図５】
2011055891.tif 000007
【図６】
2011055891.tif 000008
【図７】
2011055891.tif 000009
【図８】
2011055891.tif 000010
【図９】
2011055891.tif 000011
【図１０】
2011055891.tif 000012
【図１１】
2011055891.tif 000013
【図１２】
2011055891.tif 000014